(57)【特許請求の範囲】
【請求項１】
吹出口を有する本体と、
前記吹出口に位置して前記吹出口を開閉するための外側導風板であって、前記外側導風板には、厚さ方向に貫通する複数の風拡散孔が形成される外側導風板と、
前記吹出口に設けられ、かつ前記外側導風板の内側に位置し、前記外側導風板の少なくとも一部を開放および遮蔽するための内側導風板と、を含み、
前記風拡散孔は、吹出方向に順次接続された第１穴部と第２穴部とを含み、
段差面を形成するように、前記第１穴部の出口サイズは、前記第２穴部の入口サイズより大きい、
ことを特徴とする空気調和機の室内機。
【請求項２】
前記外側導風板における複数の前記風拡散孔の面積の合計は、前記外側導風板の総面積の５０％以上である、
ことを特徴とする請求項１に記載の空気調和機の室内機。
【請求項３】
前記第１穴部は、吹出方向に沿って徐々に縮小し、前記第２穴部は、吹出方向に沿って上へ徐々に拡大する、
ことを特徴とする請求項１に記載の空気調和機の室内機。
【請求項４】
前記段差面は、平面である、
ことを特徴とする請求項１に記載の空気調和機の室内機。
【請求項５】
前記風拡散孔の入口面積は、出口面積以下である、
ことを特徴とする請求項１〜４のいずれかに記載の空気調和機の室内機。
【請求項６】
前記風拡散孔の段差面と出口端との間の距離は、前記風拡散孔の全長の２分の１以下である、
ことを特徴とする請求項１〜５のいずれかに記載の空気調和機の室内機。
【請求項７】
複数の前記風拡散孔の少なくとも一部は、上から下への方向に穴径が順次縮小するか、順次増大するか、又はそのまま変化しない、
ことを特徴とする請求項１〜６のいずれかに記載の空気調和機の室内機。
【請求項８】
複数の前記風拡散孔のうちの少なくとも一部は、所定の直線又は曲線に沿って順次配置される、
ことを特徴とする請求項１〜７のいずれかに記載の空気調和機の室内機。
【請求項９】
前記風拡散孔の穴径は、２ｍｍ〜４ｍｍの範囲にある、
ことを特徴とする請求項１〜８のいずれかに記載の空気調和機の室内機。
【請求項１０】
前記外側導風板が前記吹出方向に垂直するときに、前記風拡散孔の中心軸線と水平平面とのなす角は、−１０°〜１０°の範囲にある、
ことを特徴とする請求項１〜９のいずれかに記載の空気調和機の室内機。
【請求項１１】
前記外側導風板は、無風感状態と開放状態との間で回転可能であり、前記外側導風板が前記開放状態にあるときに前記吹出口を開き、前記外側導風板が前記無風感状態にあるときに前記吹出口を閉じる、
ことを特徴とする請求項１〜１０のいずれかに記載の空気調和機の室内機。
【請求項１２】
前記内側導風板は、通常のＡＢＳ、変性ＡＢＳ、ＰＣ、及び変性ＰＣのうちの少なくとも一つの材料で製作される、
ことを特徴とする請求項１〜１１のいずれかに記載の空気調和機の室内機。
【請求項１３】
前記風拡散孔の横断面は、円形、楕円形、三角形、又は多角形である、
ことを特徴とする請求項１〜１２のいずれかに記載の空気調和機の室内機。
【発明の詳細な説明】
【技術分野】
【０００１】
本発明は、家電製品の技術分野に関し、特に空気調和機の室内機に関する。
【背景技術】
【０００２】
生活水準の向上に伴い、消費者は、消費製品のユーザー体験をますます重視してきています。同様に、空気調和機の分野では、冷房と暖房の機能を実現するだけでなく、人の体をより快適に感じさせる必要がある。熱い夏には、ユーザーは、常に空気調和機の冷房をオンにして、体が冷たい風を吹き付けられた場合に、不快適に感じる。一部の高齢者、妊婦、子供などの体質が弱い人にとっては、空調病にかかりやすくなる。
【発明の概要】
【発明が解決しようとする課題】
【０００３】
本発明は、従来技術における少なくとも一つの技術的課題を解決することである。そのため、本発明は、無風感の効果を実現することができる空気調和機の室内機を提供する。
【課題を解決するための手段】
【０００４】
本発明に係る空気調和機の室内機は、吹出口を有する本体と、
前記吹出口に位置して前記吹出口を開閉するための外側導風板であって、前記外側導風板には、厚さ方向に貫通する複数の風拡散孔が形成される外側導風板と、前記吹出口に設けられ、かつ前記外側導風板の内側に位置し、前記外側導風板の少なくとも一部を開放および遮蔽するための内側導風板と、を含む。
【０００５】
本発明に係る空気調和機の室内機は、外側導風板に複数の風拡散孔を設置することによって、気流が風拡散孔を介して吹き出される場合、風速および風量を効果的に低減させ、気流が人体に直接に吹き付けることを避け、無風感の効果を実現し、ユーザーの体験を向上させることができる。
【０００６】
一部の実施例において、前記外側導風板における複数の前記風拡散孔の面積の合計は、前記外側導風板の総面積の５０％以上である。
【０００７】
一部の実施例において、前記風拡散孔は、吹出方向に順次接続された第１穴部と第２穴部とを含み、パーティング面を形成するように前記第１穴部の出口サイズは、前記第２穴部の入口サイズより大きい。
【０００８】
一部の実施例において、前記第１穴部は、吹出方向に沿って徐々に縮小し、前記第２穴部は、吹出方向に沿って上へ徐々に拡大する。
【０００９】
一部の実施例において、前記パーティング面は、平面である。
【００１０】
一部の実施例において、前記風拡散孔の入口面積は、出口面積以下である。
【００１１】
一部の実施例において、前記風拡散孔のパーティング面と出口端との間の距離は、前記風拡散孔の全長の２分の１以下である。
【００１２】
一部の実施例において、複数の前記風拡散孔の少なくとも一部は、上から下への方向に穴径が順次縮小するか、順次増大するか、又はそのまま変化しない。
【００１３】
一部の実施例において、複数の前記風拡散孔のうちの少なくとも一部は、所定の直線又は曲線に沿って順次配置される。
【００１４】
一部の実施例において、前記風拡散孔の穴径は、２ｍｍ〜４ｍｍの範囲にある。
【００１５】
一部の実施例において、前記外側導風板が前記吹出方向に垂直するときに、前記風拡散孔の中心軸線と水平平面とのなす角は、−１０°〜１０°の範囲にある。
【００１６】
一部の実施例において、前記外側導風板は、無風感状態と開放状態との間で回転可能であり、前記外側導風板が前記開放状態にあるときに前記吹出口を開き、前記外側導風板が前記無風感状態にあるときに前記吹出口を閉じる。
【００１７】
一部の実施例において、前記内側導風板は、通常のＡＢＳ、変性ＡＢＳ、ＰＣ、及び変性ＰＣのうちの少なくとも一つの材料で製作される。
【００１８】
一部の実施例において、前記風拡散孔の横断面は、円形、楕円形、三角形、又は多角形である。
【００１９】
本発明の付加的な特徴および利点は、一部が以下の説明に示されるが、一部が以下の説明により明らかになり、又は本発明の実践により理解される。
【図面の簡単な説明】
【００２０】
【図１】本発明の実施例に係る空気調和機の室内機の概略断面図であり、ここで、外側導風板は吹出口を閉じており、かつ内側導風板は外側導風板の一部分を遮蔽している。
【図２】図１の丸で囲まれたIの拡大図である。
【図３】本発明の他の一部の実施例の風拡散孔の概略図である。
【図４】本発明の実施例に係る空気調和機の室内機の概略断面図であり、ここで、外側導風板は吹出口を閉じており、内側導風板は外側導風板を開放している。
【図５】図４の丸で囲まれたIIの拡大図である。
【図６】本発明の実施例に係る空気調和機の室内機の概略断面図であり、ここで、外側導風板は吹出口を開いており、内側導風板は外側導風板を開放している。
【図７】図６の丸で囲まれたIIIの拡大図である。
【図８】本発明の実施例に係る空気調和機の室内機の概略図である。
【図９】図８の丸で囲まれたIVの拡大図である。
【図１０】図８に示す空気調和機の室内機の他の角度の概略図である。
【発明を実施するための形態】
【００２１】
以下に、本発明の実施例を詳細に説明する。前記実施例の例が図面に示されるが、同一または類似する符号は、常に、同一又は類似する部品、或いは、同一又は類似する機能を有する部品を表す。以下に、図面を参照しながら説明された実施例は例示的なものであり、本発明を解釈するためだけに用いられ、本発明を限定するものと理解してはならない。
【００２２】
以下、図１〜図１０を参照して、本発明の実施例に係る空気調和機の室内機１００について説明する。空気調和機の室内機１００は、室外機とともに組み合わされて、室内の環境温度を調節するための空気調和機となる。空気調和機は、分体壁掛け式の空気調和機であってもよく、空気調和機は、冷房機又は冷暖房機であってもよく、本発明の説明では、すべて空気調和機を冷暖房機とすることを例として説明し、空気調和機の室内機１００は、無風感モードと、冷房風感モードと、暖房風感モードと、を含む。
【００２３】
図１に示すように、本発明の実施例に係る空気調和機の室内機１００は、本体１と、外側導風板２と、内側導風板３と、を含む。本体１内に空気調和機の室内機１００の全ての部品が取付けられ、本体１は、内部の部品を支持および保護する役割を果たすことができる一方、ある程度の装飾的効果も果たすことができる。
【００２４】
本体１は、シャーシと、フェイスフレームと、フェイスプレートと、を含み、フェイスフレームはシャーシに設けられ、フェイスフレームの前側は開放されており、フェイスプレートはフェイスフレームの前側に設けられ、フェイスプレートの下端とフェイスフレームとの間に吹出口１１が区画される。具体的には、フェイスフレームはシャーシに回転可能又は着脱可能に設けることができ、フェイスプレートはフェイスフレームに回転可能又は着脱可能に設けることができる。本体１内には、空気を流通させるための吹出フレームを有し、空気調和機の室内機は、本体１内に設けられる熱交換器、ファン、電気制御ボックスなどの部品をさらに含むことを理解されたい。
【００２５】
具体的には、本体１には、吹出口１１を有し、外側導風板２は、吹出口１１に設けられ、外側導風板２は、吹出口１１を開閉する。例えば、外側導風板２は、吹出口１１のエッジにピボット接続され、外側導風板２を回転させることによって吹出口１１を開閉することを実現する。外側導風板２が吹出口１１を開いた場合、気流は吹出口１１を介して室内に吹き出すことができ、このとき、外側導風板２は、吹き出す気流をガイドする役割を果たすことができ、外側導風板２が吹出口１１を閉じた場合、外側導風板２は、本体１の外縁輪郭とは同一の平面にある。
【００２６】
当然ながら、空気調和機の室内機１００の作動中に、外側導風板２は、さらに、外側導風板２のピボット回りに回転して風を振ることを実現することができることを理解されたい。
【００２７】
好ましくは、外側導風板２には、厚さ方向に貫通する複数の風拡散孔２１が形成されている。選択可能に、風拡散孔２１の横断面は、円形、楕円形、三角形、又は多角形である。
【００２８】
さらに、外側導風板２は、無風感状態（例えば、図５に示される外側導風板２の状態）と開放状態（例えば、図７に示される外側導風板２の状態）との間で回転可能である。外側導風板２が開放状態にあるときに吹出口１１を開き、外側導風板２が無風感状態にあるときに吹出口１１を閉じる。
【００２９】
図４と図５とに示すように、外側導風板２が無風感状態にあって吹出口１１を閉じた場合、本体１内の気流は、外側導風板２上の風拡散孔２１を介して吹き出すことができ、このとき、空気調和機の室内機は、無風感モードであり、外側導風板２は、吹き出される気流に対してある程度の阻止効果を果たすことができ、気流が風拡散孔２１を介して吹き出すことのみを許容するため、風速および風量を低減して、無風に近くなるようにすることができるため、無風感の効果が実現される。人が気流に直接に吹き付けられることによって空調病にかかることが効果的に避けされ、ユーザーの使用体験がより良くなる。このとき、空気調和機の室内機は無風感モードにある。
【００３０】
図６と図７とに示すように、外側導風板２が開放状態にあって吹出口１１を開いた場合、気流は、直接吹出口１１から吹き出され、このとき、空気調和機の室内機は風感モードにある。
【００３１】
内側導風板３は吹出口１１に設けられ、内側導風板３は外側導風板２の内側に位置し、内側導風板３は外側導風板２の少なくとも一部を開放および遮蔽する。つまり、外側導風板２が吹出口１１を閉じた場合、内側導風板３は、外側導風板２の少なくとも一部を開放するか、又は遮蔽することができる。例えば、内側導風板３は、吹出口１１の位置に回転可能に設けられており、内側導風板３は、回転することによって外側導風板２を開放および遮蔽することができる。
【００３２】
具体的には、内側導風板３が回転して吹出方向に垂直する場合、図２に示すように、内側導風板３は、外側導風板２の少なくとも一部を遮蔽することができ、内側導風板３が回転して吹出方向に平行する場合、図５に示すように、内側導風板３は、外側導風板２を開放しており、つまり、内側導風板３は、このとき、気流が外側導風板２へ流れることを阻止しない。
【００３３】
当然ながら、内側導風板３は、さらに、そのピボット回りに回転して風を振ることも実現することができ、すなわち、外側導風板２へ吹き付けられる気流の流れ方向を調節するのを実現することができることを理解されたい。
【００３４】
本発明の実施例に係る空気調和機の室内機は、外側導風板２に複数の風拡散孔２１を設置することによって、気流が風拡散孔２１を介して吹き出される場合、風速および風量を効果的に低減させ、気流が人体に直接に吹き付けることを避け、無風感の効果を実現し、ユーザーの体験を向上させることができる。
【００３５】
本発明の一つの実施例において、外側導風板２上の複数の風拡散孔２１の面積の合計は、外側導風板２の総面積の５０％以上である。よって、吹出風速および風量を低減させるできることを前提として、室内環境の冷房と暖房の効率を確保することができる。
【００３６】
なお、外側導風板２の総面積は、外側導風板２上の風拡散孔２１の面積を含む。
【００３７】
本発明の一部の実施例において、図３に示すように、風拡散孔２１は、第１穴部２１１と第２穴部２１２とを含むことができ、第１穴部２１１と第２穴部２１２とは、吹出方向に沿って（例えば、図５に示す矢印が示す方向）順次接続され、第１穴部２１１の出口サイズは、第２穴部２１２の入口サイズより大きいため、第１穴部２１１と第２穴部２１２との接続位置にパーティング面２１３が形成される。パーティング面２１３は、風拡散孔２１内の気流の風速および風量をさらに低減させ、無風感の効果をさらに実現することができる。また、パーティング面２１３の設置によって、風拡散孔２１の成形が容易になり、構造が簡略化される。
【００３８】
さらに、図３に示すように、第１穴部２１１が吹出方向に沿って徐々に縮小し、第２穴部２１２が吹出方向に沿って上へ徐々に拡大する。言い換えると、吹出方向に沿って、第１穴部２１１の穴径は、徐々に小さくなり、第２穴部２１２の穴径は、徐々に大きくなるため、第１穴部２１１にあるときに気流の風量を、徐々に小さくすることができ、第２穴部２１２にあるときに気流の流速を徐々に低減することができ、無風感効果を実現する上で有利である。
【００３９】
選択可能に、図３を参照して、パーティング面２１３は、平面であってもよい。よって、構造を簡略化することができ、加工と製造が容易になると同時に、風量および風速を低減させる効果が奏される。
【００４０】
一部の実施例において、図２に示すように、風拡散孔２１の入口面積は、出口面積以下である。つまり、風拡散孔２１の入口面積は、出口面積と等しくてもよいし、風拡散孔２１の入口面積は、出口面積より小さくてもよい。よって、風拡散孔２１の出口風速を入口風速以下にすることができ、風拡散孔２１の出口風速を入口風速より小さくすることができるため、風量および風速を低減させ、風を吹き出す際の無風感を実現することができる。
【００４１】
当然ながら、本発明は、これらに限定されない。出口の吹出量を低減させるために、風拡散孔２１の入口面積を、出口面積より大きくしてもよい。
【００４２】
一部の実施例において、図３に示すように、風拡散孔２１のパーティング面２１３と出口端との間の距離は、風拡散孔２１の全長の２分の１以下である。よって、無風感の効果を実現する上でさらに有利である。
【００４３】
一部の実施例において、図８と図９とに示すように、複数の風拡散孔２１の少なくとも一部は、上から下への方向に穴径が順次縮小するか、順次増大するか、又はそのまま変化しない。つまり、上から下への方向に、外側導風板２上の複数の風拡散孔２１の少なくとも一部の穴径は、順次縮小してもよいし、順次増大してもよいし、穴径が一致してもよく、すなわち穴径がそのまま変化しなくてもよい。よって、異なる風吹出のニーズに応じて、外側導風板２の異なる位置の穴径を設定して、適用性を向上させることができる。
【００４４】
一部の実施例において、図８および図９に示すように、複数の風拡散孔２１の少なくとも一部は、所定の直線に沿って配置することができ、複数の風拡散孔２１の少なくとも一部は、所定の曲線に沿って順次配置することができる。よって、ニーズに応じて風拡散孔２１の位置を合理的に配置することができると同時に、外観を美しくすることができる。
【００４５】
例えば、外側導風板２には、長手方向（例えば、図８に示す左右方向）に間隔をあけて複数列の風拡散孔群が設けられ、各列の風拡散孔群は、上下方向に間隔をあけて配置された複数の風拡散孔２１を含む。ここで、隣接する２列の風拡散孔群における複数の風拡散孔２１は、上下方向に交互に配置される。また、隣接する２列の風拡散孔群における複数の風拡散孔２１は、左右揃って配置することもできる。
【００４６】
風拡散孔２１の穴径の大きさを変えることによって、吹出風速および吹出風量を変えることができ、無風感の効果を実現すること上で有利になる。したがって、一部の実施例において、風拡散孔２１の穴径は、２ｍｍ〜４ｍｍの範囲にある。よって、風速および風量を効果的に低減させることができると同時に、冷房および暖房の速度を確保することができる。
【００４７】
図２に示すように、一部の実施例において、外側導風板２が吹出方向に垂直する場合、風拡散孔２１の中心線と水平平面とのなす角は、−１０°〜１０°の範囲にある。好ましくは、外側導風板２が吹出方向に垂直する場合、風拡散孔２１の中心線と水平平面とのなす角は、-５°〜５°の範囲にある。好ましくは、外側導風板２が吹出方向に垂直する場合、風拡散孔２１の中心線は、水平平面に略平行する。よって、気流が略水平に沿う方向に吹き出すことができ、気流が直接に人体に吹き付けることを避け、ユーザーの体験を向上させることができる。
【００４８】
一部の実施例において、内側導風板３は、通常のＡＢＳ（アクリロニトリル-スチレン-ブタジエンコポリマー）、変性ＡＢＳ、ＰＣ（ポリカーボネート）及び変性ＰＣのうちの少なくとも一つの材料で製作される。
【００４９】
一部の実施例において、外側導風板２は、通常のＡＢＳ（アクリロニトリル-スチレン-ブタジエンコポリマー）、変性ＡＢＳ、ＰＣ（ポリカーボネート）、及び変性ＰＣのうちの少なくとも一つの材料で製作される。
【００５０】
以下、本発明の実施例の空気調和機の室内機１００の作動過程を説明する。
【００５１】
本発明の実施例の空気調和機の室内機１００は、無風感モードと、冷房風感モードと、暖房風感モードとを有し、空気調和機の室内機１００が作動する場合、
空気調和機の室内機をオンにして、吹出モードを選択し、
無風感モードを選択した場合、外側導風板２が吹出口１１を閉じるまで回転し、内側導風板３が吹出方向に平行する位置まで回転し、このとき、本体１内の風が複数の風拡散孔２１から吹き出されるため、風速が低減され、無風感の効果を実現することができる。
冷房風感モード又は暖房風感モードを選択する場合、外側導風板２が吹出口１１を開き、内側導風板３が吹出方向に略平行するまで回転する。
【００５２】
本発明の説明において、「中心」、「縦方向」、「横方向」、「長さ」、「幅」、「厚み」、「上」、「下」、「前」、「後」、「左」、「右」、「鉛直」、「水平」、「頂」、「底」、「内」、「外」、「軸方向」、「径方向」、「周方向」、などの用語が示す方位又は位置関係は、図面に示す方位又は位置関係に基づき、本発明を便利に又は簡単に説明するために使用されるものであり、指定された装置又は部品が特定の方位にあり、特定の方位において構造され操作されると指示又は暗示するものではないので、本発明を限定するものと理解してはならない。
【００５３】
なお、「第１」、「第２」の用語は説明するだけに用いられるものであり、比較的な重要性を示す又は暗示するか、或いは示された技術的特徴の数を黙示的に示すると理解してはならない。そこで、「第１」、「第２」が限定されている特徴は１つ又はより多くの前記特徴を含むことを明示又は暗示するものである。本発明の説明において、明確且つ具体的な限定がない限り、「複数」とは、二つ以上を意味する。
【００５４】
なお、本発明の説明において、明確な規定と限定がない限り、「取り付け」、「互いに接続」、「接続」、「固定」の用語の意味は広く理解されるべきである。例えば、固定接続や、着脱可能な接続や、あるいは一体的が可能である。機械的な接続や、電気的な接続や、通信も可能である。直接的に接続することや、中間媒体を介して間接的に接続することや、二つの部品の内部が連通することや、二つの素子の相互作用の関係も可能である。当業者にとって、具体的な場合によって上記用語の本発明においての具体的な意味を理解することができる。
【００５５】
本発明の説明において、「一つの実施例」、「一部の実施例」、「例」、「具体的な実施例」、或いは「一部の実施例」などの用語を参考した説明とは、当該実施例或いは例に合わせて説明された具体的な特徴、構成、材料或いは特徴が、本発明の少なくとも一つの実施例或いは例に含まれることである。本明細書において、上記用語に対する例示的な説明は、必ずしも同じ実施例或いは例を示すことではない。また、説明された具体的な特徴、構成、材料或いは特徴は、いずれか一つ或いは複数の実施例又は例において適切に結合することができる。この以外、互いに矛盾しない状況の場合、当業者は、本明細書に記載された異なる実施例又は例及び異なる実施例又は例の特徴を結合と組み合わせることができる。
【００５６】
本発明の実施例を示して説明したが、当業者は、本発明の原理及び主旨から逸脱しない場合に、これらの実施例に対して各種の変更、修正、置換え及び変形を行うことができる。本発明の範囲は、特許請求の範囲及びその均等物により限定される。
【符号の説明】
【００５７】
１００      空気調和機の室内機
１          本体
１１        吹出口
２          外側導風板
２１        風拡散孔
２１１      第１穴部
２１２      第２穴部
２１３      パーティング面
３          内側導風板。
【図１】
0006799167.tif 000002
【図２】
0006799167.tif 000003
【図３】
0006799167.tif 000004
【図４】
0006799167.tif 000005
【図５】
0006799167.tif 000006
【図６】
0006799167.tif 000007
【図７】
0006799167.tif 000008
【図８】
0006799167.tif 000009
【図９】
0006799167.tif 000010
【図１０】
0006799167.tif 000011